【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
Ｗｅｎｚｅｌ−Ｃａｓｓｉｅ表面、Ｃａｓｓｉｅ−Ｂａｘｔｅｒ表面、又はこれらの表面の組み合わせのうちの少なくとも１つを備える超疎水性表面を有する少なくとも１つのアームを備えるマイクロ構造リトラクターであって、濡れた表面上に置かれた場合、前記マイクロ構造リトラクターを前記濡れた表面に沿って移動させるのに必要とされるせん断力が、印加される垂直力を超える、マイクロ構造リトラクター。
【請求項２】
膨張部材をさらに備え、前記膨張部材は、前記マイクロ構造リトラクターに調節可能な剛性を提供する、請求項１に記載のマイクロ構造リトラクター。
【請求項３】
前記マイクロ構造リトラクターの使用中に流体を除去するための吸引部材が取り付けられている、請求項１に記載のマイクロ構造リトラクター。
【請求項４】
前記リトラクターが、幅と称される短い方の寸法、及び長さと称される長い方の寸法を有し、前記リトラクターが、固有の曲率で予め形成することが可能であるフレキシブルな材料を含み、前記幅が、曲率ゼロを有し、及び前記長さの寸法における曲率半径が、前記長さよりも小さい、請求項１に記載のマイクロ構造リトラクター。
【請求項５】
前記リトラクターが、前記リトラクターが濡れた表面に置かれた場合に、前記マイクロ構造表面の一部分のみが前記濡れた表面と接触するような方向に波形とされており、前記波形は、前記濡れた表面と接触する前記マイクロ構造リトラクターの前記表面の量を変化させるように、前記マイクロ構造リトラクターの持続性の変形によって調節可能である、請求項１に記載のマイクロ構造リトラクター。
【請求項６】
前記波形が、可逆的に変形可能であり、前記リトラクターが、膨張した場合に前記波形の頻度が可逆的に変化するように、膨張部材をさらに備え、前記膨張部材が、膨張体積が制御可能であるように、バルブをさらに備える、請求項５に記載のマイクロ構造リトラクター。
【請求項７】
膨張した場合に、前記マイクロ構造リトラクターを可逆的に補強する追加の膨張部材が組み込まれている、請求項６に記載のマイクロ構造リトラクター。
【請求項８】
第一の波形状態が、濡れた表面と接触した場合に、Ｗｅｎｚｅｌ−Ｃａｓｓｉｅ状態であり、第二の波形状態が、濡れた表面と接触した場合に、Ｃａｓｓｉｅ−Ｂａｘｔｅｒ状態である、請求項５に記載のマイクロ構造リトラクター。
【請求項９】
一方の側が、Ｗｅｎｚｅｌ−Ｃａｓｓｉｅマイクロテクスチャ表面を備え、他方の側が、Ｃａｓｓｉｅ−Ｂａｘｔｅｒマイクロテクスチャ状態を備える、請求項１に記載のマイクロ構造リトラクター。
【請求項１０】
第一のアームが、Ｗｅｎｚｅｌ−Ｃａｓｓｉｅ表面を備える少なくとも１つの表面を有し、第二のアームが、Ｃａｓｓｉｅ−Ｂａｘｔｅｒ表面を備える少なくとも１つの表面を有する、請求項１に記載のマイクロ構造リトラクター。
【請求項１１】
前記少なくとも１つのアームが、少なくとも１つのバラ模倣表面を備える、請求項１に記載のマイクロ構造リトラクター。
【請求項１２】
前記少なくとも１つのアームが、少なくとも１つのハス模倣表面を備える、請求項１に記載のマイクロ構造リトラクター。
【請求項１３】
前記アームの少なくとも一部分が、超疎水性表面を備える、請求項１に記載のマイクロ構造リトラクター。
【請求項１４】
前記アームの少なくとも一部分が、超疎水性表面を備える、請求項５に記載のマイクロ構造リトラクター。
【請求項１５】
前記リトラクターの少なくとも一部分が、濡れた表面と接触した場合に５度を超える接触角ヒステリシスを有する表面を備える、請求項１に記載のマイクロ構造リトラクター。
【請求項１６】
前記リトラクターの少なくとも一部分が、濡れた表面と接触した場合に５度を超える接触角ヒステリシスを有する表面を備える、請求項５に記載のマイクロ構造リトラクター。
【手続補正２】
【補正対象書類名】明細書
【補正対象項目名】００２２
【補正方法】変更
【補正の内容】
【００２２】
【図１】図１は、本発明の超疎水性Ｗｅｎｚｅｌ−Ｃａｓｓｉｅ表面の実施形態の断面図である。
【図２】図２は、本発明の第二の実施形態に従うテープ状ＩＩ型可膨張性牽引装置の透視図である。
【図３】図３は、本発明の第三の実施形態に従う吸引手段が装備されたＩ型牽引装置の透視図である。
【図４】図４は、低垂直力リトラクターに有用であるマイクロ構造表面を示す。
【図５】図５は、低垂直力リトラクター表面の第一の実施形態を示す。
【図６】図６は、反転した表面を有する第二の実施形態を示す。
【図７Ａ】図７Ａ〜図７Ｄは、基材７１０全体にわたって別の選択肢としての湾曲表面テクスチャフィーチャを提供する様々な正弦波形パターンを有する一連の基材７１０を示す。
【図７Ｂ】図７Ａの続き。
【図７Ｃ】図７Ｂの続き。
【図７Ｄ】図７Ｃの続き。
【図８】図８は、基材の表面に第二のセットのフィーチャが配置されている本開示に従う基材上のマイクロ構造表面の実施形態の側面図を示す。
【図９】図９は、本開示に従う薄い基材上のマイクロ構造表面の別の実施形態の側面図を示す。
【図１０】図１０は、第四のセットのマイクロフィーチャを有するマイクロ構造表面の透視図を示す。
【図１１】図１１は、第四のセットのマイクロフィーチャを有するマイクロ構造表面の模式的上面図を示す。
【図１２】図１２は、本発明の別の実施形態に従う混成ロータスＩ型牽引装置の透視図である。
【図１３】図１３は、本発明の別の実施形態に従う波形ＩＩ型牽引装置の透視図である。
【図１４】図１４は、本発明の別の実施形態に従う面積が変化するＩＩ型牽引装置の透視図である。装置１４００は、表面テクスチャ１４１４を有し、１４１０及び１４１２の２つの構成を取ることができる。構成１４１０は、平らな表面と接触する最大表面積を有する平坦形状であり、構成１４１２は、最小表面積である膨張した形状である。したがって、構成１４１０である場合、装置１４００は、付着性であり、構成１４１２では、滑らせての移動がより容易である。加圧されると、膨張部材１４１６は、装置１４００を構成１４１２へと変形させる。
【図１５】図１５は、本発明の第六の実施形態に従う面積が変化する混成Ｉ型牽引装置１５００の側面図であり、この場合、テクスチャ領域１５１４は変化しない。装置１５００は、２つの双安定構成１５１０及び１５１２を呈する。構成１５１０では、バラ花弁型テクスチャ１５１４が、装置１５００が付着することになる別の表面に対して提示される唯一の表面である。構成１５１０での接触表面積は、１５１４の面積の合計である。領域１５１６は、平滑であり、構成１５１２の面積は、構成１５１０の面積よりも大きい。構成１５１２の面積は、１５１４及び１５１６の面積の合計である。構成１５１２は、構成１５１０を方向１５１８に引くことによって実現される。
【図１６】図１６は、本発明の第七の実施形態に従う挟み付ける動きをするＩＩ型牽引装置１６００の透視図である。装置１６００は、弛緩した形状適合可能な状態１６１０、及び強固に挟んでいる状態１６１２を有する。状態１６１０から状態１６１２への変形は、膨張手段１６１６によって実現される。フィーチャ１６１４は、バラ花弁型付着性表面を備える。
【図１７】図１７は、本開示のマイクロテクスチャ表面がその一部分に配置されたアームを備えるリトラクターを示す。
【手続補正３】
【補正対象書類名】明細書
【補正対象項目名】００６９
【補正方法】変更
【補正の内容】
【００６９】
波形ＩＩ型
図１３は、本発明の第四の実施形態に従う波形ＩＩ型牽引装置の側面図である。マニュアルで作動されるＩ型のバージョンも可能であることは理解されたい。装置１３００は、２つの構成１３１０及び１３１２であり得る。構成１３１０は、バラ型テクスチャ構成であり、構成１３１２は、ハス型テクスチャ構成である。したがって、構成１３１０である場合、装置１３００は付着性であり、構成１３１２である場合、滑らせての移動が容易である。波形状態１３１０である装置１３００は、第一の構造１３１４及び第二の構造１３１６を有する。加圧されると、膨張部材１３２０は、装置１３００を方向１３１８へ動か
して、構成１３１２へ変形させる。
【手続補正４】
【補正対象書類名】明細書
【補正対象項目名】００７０
【補正方法】変更
【補正の内容】
【００７０】
面積が変化するＩＩ型
図１４は、本発明の第五の実施形態に従う面積が変化するＩＩ型牽引装置の透視図である。装置１４００は、表面テクスチャ１４１４を有し、２つの構成１４１０及び１４１２であり得る。構成１４１０は、平らな表面と接触する最大表面積を有する平坦構成であり、構成１４１２は、最小表面積である膨張した構成である。したがって、構成１４１０である場合、装置１４００は、付着性であり、構成１４１２では、滑らせての移動がより容易である。加圧されると、膨張部材１４１６は、装置１４００を構成１４１２へと変形させる。
【手続補正５】
【補正対象書類名】明細書
【補正対象項目名】００７３
【補正方法】変更
【補正の内容】
【００７３】
図１７は、アーム１７０３及び手術用固定具１７０５を備えるリトラクター１７０１を示す。手術用固定具１７０５により、外科医は、術中用縫合剤（perioperative surgicaldressing）にリトラクター１７０１を固定することができる。リトラクター１７０１の遠位側端部１７０７は、超疎水性表面１７１９を有する。超疎水性表面の詳細な例は、上記で示され、記載される。所望に応じて、リトラクターは、チューブ１７１５を介して加圧することができる中空セクション１７１３を有する膨張部材１７１１を備えていてもよい。示されるように、中空セクション１７１３が膨張されると、リトラクターは、剛性となり、方向１７１７に沿って直線状となる。所望に応じて、リトラクターは、組織接触側１７２１から内部吸引容積部１７２３へのスループットを提供する一連の孔１７１９を有する吸引ブラダー（suction bladder）を備えていてもよい。吸引ブラダーは、組織接触側
１７２１及び外部側１７２５を備える。外部側１７２５は、タブ１７２６を有していてよく、外科医は、タブに支持糸（stay line）を縫い合わせてよく、又はタブを掴むことに
よって組織表面に対してリトラクター１を位置決定してもよい。吸引ブラダーに取り付けられた吸引チューブ１７２７は、吸引を提供し、組織液１７２９を吸引ブラダー中に吸い込む。所望に応じて、リトラクター１は、幅１７３１が直線状であり、長さ１７３３が曲率半径１７３５で湾曲するように、予め形成された形状を有していてもよい。所望に応じて、リトラクター１７０１は、波形１７３７である組織接触表面１７２１を有する。波形の頻度１７３９は、膨張部材１７１１によって調節することができ、それによって、膨張の上昇が、頻度１７３９を減少させ、長さ１７３３を増加させる。